(57)【要約】【課題】外壁材の上端部に取り付けられることで外壁材と壁下地との間の通気空間と屋外との間の通気性を確保することができ、且つ通気空間への雨水等の水分の流入を抑制することができる通気見切材を提供する。【解決手段】通気見切材１に、屋外側に開口する外開口６と、前記通気空間５側に開口する内開口７と、前記外開口６と内開口７との間を連通する通気路８とを形成する。前記通気路８に、外開口６から上方へ向かう縦通気路８ａを備えさせる。前記縦通気路８ａの底部に屋内側から外開口６へ向けて下り傾斜する外傾斜面９を形成する。前記縦通気路８ａ内の前記外傾斜面９の上方に屋内側から屋外側へ向けて突出する第一の水返し１０ａを形成する。【選択図】図１
2011106234.tif 000002
【特許請求の範囲】
【請求項１】
外壁材の屋根側に臨む上端部に取り付けられ、前記外壁材と壁下地との間の通気空間と屋外との間の通気を確保する通気見切材であって、
屋外側に開口する外開口と、前記通気空間側に開口する内開口と、前記外開口と内開口との間を連通する通気路とを備え、
前記通気路が、外開口から上方へ向かう縦通気路を備え、
前記縦通気路の底部に屋内側から外開口へ向けて下り傾斜する外傾斜面を備え、
前記縦通気路内の前記外傾斜面の上方に屋内側から屋外側へ向けて突出する第一の水返しを備えることを特徴とする通気見切材。
【請求項２】
前記縦通気路内の前記水返しの上方に、屋外側から屋内側へ向けて突出する第二の水返しを備えることを特徴とする通気見切材。
【請求項３】
前記通気路が、縦通気路の上方から屋内側へ向かう横通気路を備え、
前記横通気路の底部に屋内側から縦通気路へ向けて下り傾斜する内傾斜面を備えることを特徴とする請求項１又は２に記載の通気見切材。
【請求項４】
建築物の壁下地の屋外側に外壁材が設置されると共に、この壁下地と外壁材との間に通気空間が形成され、前記外壁材の屋根に臨む上端部に、請求項１乃至３のいずれか一項に記載の通気見切材が取り付けられていることを特徴とする建築物の外壁構造。
【請求項５】
前記壁下地が妻側の壁下地であり、前記外壁材が妻側の外壁材であることを特徴とする請求項４に記載の建築物の外壁構造。
【発明の詳細な説明】
【技術分野】
【０００１】
本発明は、外壁材の上端部に取り付けられ、外壁材と壁下地との間の通気空間と屋外との間の通気性を確保する通気見切材、及びこの通気見切材が取り付けられた建築物の外壁構造に関する。
【背景技術】
【０００２】
建築物の壁下地４に外壁材２を設置する場合、壁下地４と外壁材２との間に縦胴縁４６を介在させることで、壁下地４と外壁材２との間に通気空間５を形成することがある。この通気空間５と屋外との通気性が確保されることで、外壁材２と壁下地４との間の湿気の上昇が抑制され、カビや腐食の発生が防止されている。
【０００３】
この通気空間５の上端は例えば図１２に示すように小屋裏４８に連通される。この場合、通気空間５と屋外との通気性は、小屋裏４８と連通する換気棟等を介して確保される（図１２中の矢印参照）。
【０００４】
しかし、通気空間５と小屋裏４８とを連通するためには、縦胴縁４６が小屋裏４８まで突出していなければならない。このため、建築物の施工上の制約が大きくなってしまう。また、既存の建築物の外壁を改装するために既存の外壁材２を壁下地４とし、縦胴縁４６等を介して改装用の新たな外壁材２を設置する場合には、通気空間５を小屋裏４８へ連通することができなくなる。
【０００５】
そこで、外壁材２の屋根３に臨む上端部に取り付けられる見切材に、屋外と通気空間５との間の通気性を確保するための機能を付与することも行われている。図１３に示す例では、外壁材２の上端部を覆う見切材１’の内部に通気用の経路を形成し、更にこの見切材１’に屋外側に連通する開口４９と、屋内側の通気空間５に連通する開口５０とを形成することで、屋外と通気空間５の間の通気性が確保されている（図１３中の矢印参照）。また、内側の開口５０を屋外側の開口４９よりも上方に位置させることで、屋外側の開口４９から見切材１’内に水が浸入しても、この水が内側の開口５０まで到達しにくくなっている。これに類する見切材が、例えば特許文献１に開示されている。
【０００６】
しかし、このように見切材１’を用いて屋外と通気空間５とを連通しても、建築物が強い風雨に曝された場合等には雨水が内側の開口５０から見切材１’に浸入し、更にこの雨水が見切材１’内で吹き上げられて、開口４９を介して通気空間５内に浸入することがある。この場合、外壁材２と壁下地４との間の湿気が上昇するおそれがある。
【０００７】
また、特に見切材１’が妻側の外壁材２に取り付けられる場合には、見切材１’は屋根３の傾斜に沿って斜めに配置され、且つ内側の開口５０の高さ位置が軒側ほど低くなる。この場合、外側の開口４９から見切材１’内に浸入した水が軒側に移動しながら屋内側へ移動し、内側の開口５０まで到達してしまうことがある。
【先行技術文献】
【特許文献】
【０００８】
【特許文献１】特開２００２−３１７５４９号公報
【発明の概要】
【発明が解決しようとする課題】
【０００９】
本発明は上記の事由に鑑みてなされたものであり、その目的とするところは、外壁材と壁下地との間の通気空間と屋外との間の通気性を確保すると共にこの通気空間への雨水等の水の流入を抑制することができる通気見切材、並びにこの通気見切材が取り付けられた建築物の外壁構造を提供することにある。
【課題を解決するための手段】
【００１０】
本発明に係る通気見切材１は、外壁材２の屋根３側に臨む上端部に取り付けられ、前記外壁材２と壁下地４との間の通気空間５と屋外との間の通気を確保する通気見切材１であって、屋外側に開口する外開口６と、前記通気空間５側に開口する内開口７と、前記外開口６と内開口７との間を連通する通気路８とを備え、前記通気路８が、外開口６から上方へ向かう縦通気路８ａを備え、前記縦通気路８ａの底部に屋内側から外開口６へ向けて下り傾斜する外傾斜面９を備え、前記縦通気路８ａ内の前記外傾斜面９の上方に屋内側から屋外側へ向けて突出する第一の水返し１０ａを備えることを特徴とする。
【００１１】
このため、この通気見切材１を外壁材２の屋根３に臨む上端部に取り付けることで、外開口６、通気路８及び内開口７を通じて、前記外壁材２と壁下地４との間の通気空間５が屋外と連通し、通気空間５における外気の流通を確保することができる。また外開口６から雨水等の水が通気路８内に浸入しても、この水は第一の水返し１０ａ遮られ、この第一の水返し１０ａから外傾斜面９へ落下し、この外傾斜面９の傾斜に沿って外開口６から屋外へ排出される。このため通気空間５への水の浸入と通気空間５での水の残留が防止される。
【００１２】
本発明においては、通気見切材１が、前記外傾斜面９の上方に前記第一の水返し１０ａを含む上下に並ぶ複数の水返し１０を備え、且つ前記複数の水返し１０が、屋内側から屋外側へ向けて突出する水返し１０と、屋外側から屋内側へ向けて突出する水返し１０とが交互に並んでいることが好ましい。
【００１３】
この場合、外開口６から通気路８内への水の浸入が複数の水返し１０によって順次遮られることになり、しかも交互に並ぶ水返し１０によって水の浸入経路が複雑化してこれらの水返し１０を通過して水が屋内側へ浸入することが困難となる。このため、通気空間５への水の浸入が更に確実に防止される。
【００１４】
本発明においては、前記通気路８が、縦通気路８ａの上端から屋内側へ向かう横通気路８ｂを備え、前記横通気路８ｂの底部に屋内側から縦通気路８ａへ向けて下り傾斜する内傾斜面１１を備えることも好ましい。
【００１５】
この場合、水が横通気路８ｂまで浸入したとしても、この水が横通気路８ｂを横方向に移動して内開口７まで達するのが困難になり、またこの横通気路８ｂ内の水は内傾斜面１１に沿って移動し縦通気路８ａへ落下して外開口６から排出されるようになる。このため、通気空間５への水の浸入と通気空間５内の水の残留が更に確実に防止される。
【００１６】
本発明に係る外壁構造は、建築物の壁下地４の屋外側に外壁材２が設置されると共に、この壁下地４と外壁材２との間に通気空間６が形成され、前記外壁材２の屋根３に臨む上端部に、前記通気見切材１が取り付けられていることを特徴とする。
【００１７】
このため、外開口６、通気路８及び内開口７を通じて、前記外壁材２と壁下地４との間の通気空間５が屋外と連通し、通気空間５における外気の流通を確保することができる。また外開口６から雨水等の水が通気路８内に浸入しても、この水は第一の水返し１０ａ遮られ、この第一の水返し１０ａから外傾斜面９へ落下し、この外傾斜面９の傾斜に沿って外開口６から屋外へ排出される。このため通気空間５への水の浸入と通気空間５での水の残留が防止される。
【００１８】
また、本発明において、前記壁下地２が妻側の壁下地１であり、前記外壁材２が妻側の外壁材２であれば、通気見切材１は傾斜して配置されるが、通気見切材１には水が浸入しにくく、また水が浸入したとしてもこの水が排出されやすいため、通気見切材１に浸入した水が傾斜に沿って軒側に移動しながら屋内側に移動して内開口７まで到達したり、軒側に溜まった水が外開口６から一気に屋外に噴き出したりするようなことが防止される。
【発明の効果】
【００１９】
本発明によれば、外壁材の屋根に臨む上端部において通気見切材によって屋外と通気空間との間の通気性を確保しつつ、屋外から通気空間への水の浸入を抑制することができ、外壁材と壁下地との間での湿気の上昇を抑制し、カビや腐食の発生を効果的に防止することができる。
【図面の簡単な説明】
【００２０】
【図１】（ａ）は本発明の実施形態の一例を示す概略断面図、（ｂ）は（ａ）のイ部分の拡大図、（ｃ）は（ａ）におけるバックアップ材の他例を示す正面図である。
【図２】本発明の実施形態の他例を示す概略断面図である。
【図３】本発明の実施形態の他例を示す概略断面図である。
【図４】本発明の実施形態の他例を示す概略断面図である。
【図５】図１に示す実施形態における通気見切材、並びにこの通気見切材を構成する第一部材及び第二部材を示す図であり、（ａ）は第一部材を示す正面図、（ｂ）は第二部材を示す正面図、（ｃ）は第一部材と第二部材の組み合わせ方を示す正面図、（ｄ）は前記第一部材及び第二部材で構成された通気見切材を示す正面図である。
【図６】（ａ）は図５（ａ）に示される第一部材の側面図、（ｂ）は図５（ｂ）に示される第二部材の側面図である。
【図７】本発明の実施形態に係る通気見切材を連結するジョイント部材を示す図であり、（ａ）は正面図、（ｂ）は側面図、（ｃ）は平面図、（ｄ）は底面図である。
【図８】本発明の実施形態に係る通気見切材が図７に示すジョイント部材で連結された様子を示す図であり、（ａ）は断面図、（ｂ）は側面図である。
【図９】本発明の実施形態に係る通気見切材に取り付けられるキャップ体を示す図であり、（ａ）は正面図、（ｂ）は側面図、（ｃ）は平面図である。
【図１０】本発明の実施形態に係る通気見切材に図９に示すキャップ体が取り付けられた様子を示す図であり、（ａ）は正面図、（ｂ）は側面図である。
【図１１】（ａ）は通気見切材が設置されている建物の妻側の外壁を示す正面図、（ｂ）は（ａ）のイ部分を示す一部破断した拡大図である。
【図１２】従来技術の一例を示す図であり、（ａ）は概略断面図、（ｂ）は破断した斜視図である。
【図１３】従来技術の他例を示す図であり、（ａ）は概略断面図、（ｂ）は破断した斜視図である。
【発明を実施するための形態】
【００２１】
以下、本発明を実施するための最良の形態について説明する。
【００２２】
［通気見切材１の構造］
図１に通気見切材１の一例を示す。この通気見切材１は、例えばアルミニウム押出成形品である第一部材１ａと第二部材１ｂとの組み合わせで構成されている。尚、通気見切材１の製造方法は特に限定されない。例えば通気見切材１はアルミニウム押出成形による一体成形品であってもよく、また金属製の板材に折り曲げ加工や打ち抜き加工等が施されることで形成されものであってもよい。
【００２３】
以下、通気見切材１が外壁材２の屋根３に臨む上端部に取り付けられた状態を想定して、本実施形態に係る通気見切材１の構造を説明する。尚、外壁材２の屋根３に臨む上端部とは、外壁材２の最も屋根３に近接する端縁部分をいい、外壁に複数の外壁材２が設置される場合には、この複数の外壁材２で構成される外壁面の上部における屋根３に沿った縁部に配置される外壁材２の端縁部分をいう。
【００２４】
この通気見切材１は外壁材２の上端面の上方に配置される基体１２と、基体１２の屋内端部から下方に垂下して外壁材２の上端部の屋内側外面に沿って配置される垂下体１３とから構成される。この通気見切材１は外壁材２の横方向に沿って長い長尺物である。
【００２５】
垂下体１３は平板状であり、基体１２は内部が中空な角筒状である。この基体１２は内部の中空部分を取り囲む外囲体１６を有し、且つこの内部の中空部分が断面逆Ｌ字状の仕切体１７によって仕切られることで、通気路８と中空部１５とに仕切られている。中空部１５は基体１２の屋内側且つ下側の位置に矩形状に形成されている。
【００２６】
通気路８は、基体１２の屋外側下端部から上方へ向かう縦通気路８ａと、この縦通気路８ａと上下方向に連通し、且つこの縦通気路８ａの上方から屋内側へ横方向に向かう横通気路８ｂから構成されている。縦通気路８ａの底部の内面には、屋内側から屋外側へ向けて下り傾斜する外傾斜面９が形成されている。また、横通気路８ｂの底部の内面には、屋内側から縦通気路８ａの上端へ向けて下り傾斜する内傾斜面１１が形成されている。外傾斜面９と内傾斜面１１は、共に仕切体１７の外面に形成されている。
【００２７】
基体１２の屋外側の側面の下端部には、通気見切材１の長手方向（横方向）に沿って長い外開口６が形成されている。この外開口６は、屋外と縦通気路８ａの下端部とを横方向に連通している。また、外傾斜面９の屋外側端部の位置と外開口６の下端縁の位置とが一致しており、外傾斜面９は屋内側から外開口６へ向けて下り傾斜している。
【００２８】
一方、基体１２の屋内側の側面には内開口７が形成されている。この内開口７は丸孔状、或いは通気見切材１の長手方向に沿って長い長孔状であり、且つ通気見切材１の長手方向に沿って複数の内開口７が列設されている。この内開口７は、横通気路８ｂの屋内側端部に、横通気路８ｂの内面の底部よりも上方の位置で連通している。これにより、外開口６と内開口７は通気路８を介して連通している。
【００２９】
内開口７は外開口６よりも上方に位置する。内開口７と外開口６の高低差は適宜設定されるが、内開口７の下端と外開口６の上端との高低差が２５〜７０ｍｍの範囲であることが好ましい。
【００３０】
通気路８内には、外傾斜面９の上方に、屋内側から屋外側へ向けて突出する水返し１０と屋外側から屋内側へ向けて突出する水返し１０とが、上下に並んで交互に複数設けられている。この複数の水返し１０として、下方に位置するものから順に、第一の水返し１０ａ、第二の水返し１０ｂ、第三の水返し１０ｃ、及び第四の水返し１０ｄが設けられている。
【００３１】
最も下方に設けられている第一の水返し１０ａは、縦通気路８ａ内で屋内側の内面（仕切体１７の外面）から屋外側へ向けて突出している。第一の水返し１０ａの位置は外傾斜面９の上方近傍であることが好ましく、例えば外傾斜面９の屋内側端部と第一の水返し１０ａの縦通気路８ａの内面からの突出位置との高低差が３〜１０ｍｍの範囲となるようにする。第二の水返し１０ｂは、縦通気路８ａ内で屋外側の内面から屋外側へ向けて突出している。第三の水返し１０ｃは、縦通気路８ａの上端において屋内側の内面（仕切体１７の外面）から屋外側へ向けて突出している。この第三の水返し１０ｃの上面は、上記内傾斜面１１の一部を構成している。第四の水返し１０ｂは、縦通気路８ａの上方の横通気路８ｂ内で屋外側の内面から屋外側へ向けて突出している。
【００３２】
これらの水返し１０は突出方向に向けて下り傾斜している。また各水返し１０の突出方向の先端からは下方に向けて水切片１８が延出している。また、最も下側に配置されている第一の水返し１０ａの先端の直下には外傾斜面９が位置し、それ以外の水返し１０の突出方向の先端の直下には、この水返し１０の一つ下側の他の水返し１０の上面が位置している。
【００３３】
また、横通気路８ｂ内には、内開口７のより下方位置に、屋内側の内面から屋外側に向けて突出する内水返し５１が、第四の水返し１０ｄと対向する位置に設けられている。この内水返し５１も突出方向に向けて下り傾斜し、且つその突出方向の先端からは下方に向けて水切片１８が延出している。
【００３４】
また、通気路８の上端部と中空部１５の下端部には、それぞれ後述するジョイント部材３７やキャップ体４１を固定するための固定用凹部１９が形成されている。通気路８の上端部では、横通気路８ｂの上端部において、屋内側の内面と屋外側の内面からそれぞれ突出する二つの支持突部２０が形成されており各支持突部２０と横通気路８ｂの上底面との間に固定用凹部１９が形成されている。また、中空部１５の下端部においては、中空部１５の屋外側の内面（仕切体１７の内面）から突出する支持突部２０が形成されている。また、中空部１５の底面からは上方に突出する支持突起２１が形成されており、この支持突起２１の上端から屋外側へ突出する支持突部２０が形成されている。各支持突部２０と基体１２の上下の外囲体１６との間に固定用凹部１９が形成されている。
【００３５】
また、仕切体１７には、その入隅の両側近傍にそれぞれ固定具用凸部２２が形成されており、これにより仕切体１７の入隅部分と二つの固定具用凸部２２で囲まれた固定具用空間２３が形成されている。
【００３６】
また、基体１２を構成する外囲体１６の屋外側の表面全面には、図１（ｂ）に示すように断面波状の凹凸が形成されている。このような凹凸によって、通気見切材１の意匠性を向上し、通気見切材１が屋外に露出しても外壁の意匠性悪化を招かないようにすることができる。またこのような凹凸を形成することによって通気見切材１の強度を向上することができる。更に、通気見切材１の表面に雨水等の水が付着しても、前記凹凸によって表面の水切り性が高くなり、通気見切材１に水滴が残留することが抑制される。
【００３７】
図２は通気見切材１の他例を示す。この通気見切材１は、第四の水返し１９ｄ及び内水返し５１を備えない以外は、図１に示す通気見切材１と同じ構成を有する。
【００３８】
図３，４に通気見切材１の他例を示す。この通気見切材１では、外開口６が基体１２の底面の屋外側に形成されており、この外開口６が、屋外と縦通気路８ａの下端部とを上下方向に連通している。他の構成は図１，２に示す通気見切材１と同様である。
【００３９】
図５及び図６に、図１に示される通気見切材１を構成する第一部材１ａと第二部材１ｂを示す。
【００４０】
図５（ａ）は第一部材１ａの正面図であり、図６（ａ）は第一部材１ａの側面図である。この第一部材１ａは、水平状に配置される板状の上片２４と、この上片２４の屋外側端部から下方に突出する屋外片２５と、上片２４の屋内側端部から下方に突出する屋内片２６とを備え、屋内片２６の突出寸法は屋外片２５よりも長くなっている。この第一部材１ａの屋外片２５が基体１２の屋外側の外囲体１６となり、上片２４が基体１２の上部の外囲体１６となり、屋内片２６が基体１２の屋内側の外囲体１６及び垂下体１３となる。屋外片２５には第二の水返し１０ｂ及び第四の水返し１０ｄが形成され、屋内片２６には内開口７及び内水返し５１が形成され、且つ屋外片２５の上端部と屋内片２６の上端部には支持突部２０が形成されている。また、屋内片２６には、屋内片２６側へ向けて突出する上下一対の支持片２７が形成されている。各支持片２７の先端には、対向する他方の支持片２７とは反対側へ向けて突出する係合部２８が形成されている。
【００４１】
図５（ｂ）は第二部材１ｂの正面図であり、図６（ｂ）は第二部材１ｂの側面図である。この第二部材１ｂは、水平状に配置される板状の上片２９と、この上片２９の屋外側端部から下方に突出する縦片３０と、縦片３０の下端から屋外側斜め下方に突出する傾斜片３１と、傾斜片３１の下端から屋内側へ向けて延出する下片３２とを備える。この第二部材１ｂの上片２９、縦片３０及び傾斜片３１が仕切体１７となると共に上片２９及び傾斜片３１の表面がそれぞれ内傾斜面１１及び外傾斜面９となり、下片３２が基体１２の下側の外囲体１６となる。また、縦片３０には第一の水返し１０ａ及び第三の水返し１０ｃが形成されている。また、傾斜片３１の下端部に支持突部２０が形成されていると共に、下片３２に支持突起が形成されている。また、上片２４の屋内側端部と下片３２の屋内側端部には、それぞれ対向方向に突出する係合部３３が形成されている。
【００４２】
図５（ｃ）に示すようにこの第一部材１ａの各係合部２８，２８と第二部材１ｂの各係合部３３，３３とを合致させるようにしながら第二部材１ｂを第一部材１ａへ向けて押し込むと、図５（ｄ）に示すように第一部材１ａの各係合部２８，２８と第二部材１ｂの各係合部３３，３３とが弾性変形しながら係合し、これにより第一部材１ａと第二部材１ｂとが組み合わされて通気見切材１が構成される。このとき、第一部材１ａの屋外片２５の下端と第二部材１ｂの傾斜片３１の下端との間に形成される隙間が、外開口６となる。
【００４３】
［建築物の外壁構造］
この通気見切材１は、図１乃至４に示すように、次のようにして軒側の外壁材２の屋根３に臨む上端部に取り付けられる。
【００４４】
下地板や防水シート等で構成される壁下地４の屋外側外面に、上下方向に長い複数の部材（縦胴縁４６）が、壁下地４に沿って間隔をあけて設置される。この縦胴縁４６に対して、外壁材２が設置される。このため外壁材２と壁下地４との間に縦胴縁４６が介在し、隣り合う縦胴縁４６同士の間で、外壁材２と壁下地４との間に通気空間５が形成される。外壁材２と縦胴縁４６は、共に軒天井材３６よりも下方に設置される。前記壁下地４は、改装前の建築物における既存の外壁材２であっても良く、この場合、壁下地４の屋外側に設置される外壁材２は建築物の改装のための新たな外壁材２である。
【００４５】
この外壁材２の屋根３に臨む上端部（軒天井材３６と対向する端部）に通気見切材１が取り付けられる。通気見切材１の基体１２は外壁材２の上端面の上方に配置され、且つ垂下体１３が外壁材２の屋内側外面に沿って配置される。通気見切材１の設置時には、外壁材２より先に通気見切材１をその設置位置に配置し、垂下体１３を縦胴縁４６に釘等の固定具４５で固定すると、通気見切材１の設置強度が高くなる。
【００４６】
基体１２の下側外面と外壁材２の上端面との間には屋内側にバックアップ材３４が介装される共にこのバックアップ材３４の屋内側にシーリング材３５が介装されることで防水処理がされている。シーリング材３５としては、例えば一般に湿式系と称される変性シリコン等から成るコーキング剤、乾式系と称される発泡樹脂や発泡ゴムなどからなるガスケットなどが使用される。バックアップ材３４は樹脂等で形成されていてもよいが、図１（ｃ）に示すような板金等で形成された片ハット型のバックアップ材３４が用いられてもよい。片ハット型のバックアップ材３４が用いられる場合には断面コ字状部分３４ａが基体１２の下側外面と外壁材２の上端面との間に介装され、この断面コ字状部分３４ａから延出する延出片３４ｂが垂下体１３と縦胴縁４６との間に介装される。
【００４７】
また、図１，２に示す例では、基体１２の上側外面との基天井材２４との間にも屋内側にバックアップ材３４が介装される共にこのバックアップ材３４の屋内側にシーリング材３５が介装されることで防水処理がなされている。バックアップ材３４は樹脂等で形成されていてもよいが、図１（ｃ）に示すような板金等で形成された片ハット型のバックアップ材３４が用いられてもよい。片ハット型のバックアップ材３４が用いられる場合には断面コ字状部分３４ａが基体１２の上側外面との基天井材２４との間に介装され、この断面コ字状部分３４ａから延出する延出片３４ｂが基体１２と縦胴縁４６との間に介装される。また、図３，４に示す例のように基体１２の上面を軒天井材３６に当接させてもよく、この場合は図３，４に示すように、屋外側における軒天井材３６と基体１２との間の入隅部分にシーリング材３５を充填しすることで防水処理をすることができる。
【００４８】
通気見切材１を設置するにあたっては、複数の通気見切材１をその長手方向に連結して設置してもよい。図７は、通気見切材１を連結するために用いられるジョイント部材３７を示す。このジョイント部材３７は、基体１２の断面形状に合致する縦向きの平板状に形成され、その上端部と下端部には、通気見切材１の上部の固定用凹部１９及び下部の固定用凹部１９にそれぞれ対応する固定片３８が形成されている。この固定片３８はジョイント部材３７の上端部及び下端部のそれぞれにおいて、ジョイント部材３７の両面から両側の各外側方に突出するように形成されている。上側の各固定片３８の上面の一部には、上側に突出する圧入用凸部３９が形成されている。この圧入用凸部３９の外側部分には、外側方に向けて傾斜する誘導用傾斜面４０が形成されている。
【００４９】
図８に示すように、このジョイント部材３７を二つの通気見切材１の基体１２の間に介在させ、ジョイント部材３７の上側の固定片３８の両端部を、各通気見切材１の上側の固定用凹部１９に嵌合させると共に、ジョイント部材３７の下側の固定片３８の両端部を、各通気見切材１の下側の固定用凹部１９に嵌合させることで、ジョイント部材３７を介して二つの通気見切材１を連結することができる。このとき、上側の固定片３８に圧入用凸部３９が形成されていることで、この圧入用凸部３９が形成されている箇所において固定片３８の厚みが上部の固定用凹部１９の上下寸法よりも若干大きくなっており、このため上側の固定片３８が固定用凹部１９に圧入される。このため、ジョイント部材３７が通気見切材１から抜けにくくなり、通気見切材１同士の連結が強固となる。また圧入用凸部３９に誘導用傾斜面４０が形成されているため、上側の固定片３８を固定用凹部１９にスムーズに圧入することができる。
【００５０】
また、通気見切材１の端面が屋外に露出する場合には、この通気見切材１の端部にキャップ体４１を取り付けることで通気見切材１の基体１２の端面の開口を閉塞することができる。図９に示すキャップ体４１は、基体１２の断面形状に合致する縦向きの平板状に形成され、その上端部と下端部には、通気見切材１の上部の固定用凹部１９及び下部の固定用凹部１９にそれぞれ対応する固定片４２が形成されている。この固定片４２はキャップ体４１の上端部及び下端部のそれぞれにおいて、キャップ体４１の一面から外側方に突出するように形成されている。また、キャップ体４１の両側の各側部には、基体１２の外囲体１６の内面に沿う位置に位置決めリブ４３が、キャップ体４１の一面から外側方に突出するように形成されている。また、キャップ体４１には、通気見切材１の固定具用空間２３に合致する位置に固定用孔４４が形成されている。
【００５１】
図９に示すように、このキャップ体４１を通気見切材１の屋外に露出する端面側に配置し、キャップ体４１の上側の固定片４２の両端部を、各通気見切材１の上側の固定用凹部１９に嵌合させると共に、ジョイント部材３７の下側の固定片４２の両端部を、各通気見切材１の下側の固定用凹部１９に嵌合させ、且つ位置決めリブ４３を基体１２の外囲体１６の内面に沿って配置することで、キャップ体４１を通気見切材１の端部に取り付けてこのキャップ体４１の端面開口を閉塞することができる。また、キャップ体４１の固定用孔４４にビスなどの固定具４７を挿通すると共にこの固定用孔４４を通気見切材１の固定具用空間２３に螺入することで、キャップ体４１の通気見切材１への取り付けが強固となる。
【００５２】
このように通気見切材１が取り付けられると、通気見切材１の外開口６が屋外に開口すると共に、内開口７が壁下地４と外壁材２との間の通気空間５に開口し、外開口６、通気路８及び内開口７を通じて、前記通気空間５が屋外と連通する。このため、通気空間５と外気との間の通気性が確保され、壁下地４と外壁材２との間の湿気の上昇が抑制される。
【００５３】
また、風等により雨水等が外開口６から通気路８内に吹き込むなどして通気路８内に水が浸入しても、この水は外傾斜面９に誘導されて第一の水返し１０ａに遮られ、この第一の水返し１０ａから外傾斜面９へ落下し、この外傾斜面９の傾斜に沿って外開口６から屋外へ排出される。第一の水返し１０ａで遮られずに更に水が浸入しても、この水はまず縦通気路８ａを進まなければならず、この縦通気路８ａを登りきって水が屋内側へ浸入することは困難である。更に、外傾斜面９の上方には第一の水返し１０ａを含む複数の水返し１０が屋内側と屋外側から交互に突出するように設けられているので、水の浸入は複数の水返し１０によって遮られる。このとき、複数の水返し１０を避けて水が浸入するための経路は上方に向かって蛇行する経路となり、このように経路が複雑化することにより、水の浸入が著しく困難になる。また、第一の水返し１０ａの上方の水返し１０で遮られた水は、各水返し１０の先端の水切片１８から下方へ落下し、この水返し１０の一つ下方の他の水返し１０の上面で受け止められる。水返し１０の上面の水はこの上面の傾斜によって水返し１０の先端側へ誘導されて水切片１８から下方へ落下し、最終的には外傾斜面９に達して外開口６から排出される。このため複数の水返し１０で遮られた水は通気路８内に残留することなく外開口６へ効率良く送られて排出される。
【００５４】
また、たとえ水が横通気路８ｂまで浸入したとしても、縦通気路８ａを通じて上方向に吹き上がった水が横通気路８ｂを横方向に移動して内開口７まで達するのは困難であり、この水は内開口７まで達することなく横通気路８ｂの底部に付着することになる。またこの横通気路８ｂ内の底部に付着した水は内傾斜面１１に沿って移動し、第三の水返し１０ｃの先端から縦通気路８ａへ落下して、水返し１０で遮られた水と同様に外開口６から排出される。このため、横通気路８ｂまで浸入した水も通気路８内に残留することなく外開口６へ効率良く送られて排出される。
【００５５】
また、通気路８内に浸入した水が排出される前に、強風時に気流が外開口６から通気路８内に勢いよく流れ込んで通気路８内の圧力が通気空間５内の圧力よりも高くなり、圧力差により通気路８から通気空間５へ向けて強い気流が発生して、気流が通気路８内の水を内開口７を介して通気空間５側へ流し込もうとしても、この気流は水返し１０によって効率よく遮蔽されるため、内開口７側の圧力の上昇は抑制される。このため、前記のような圧力差による水の浸入も効果的に防止される。
【００５６】
更に、図１，３に示す通気見切材１では、横通気路８内に第四の水返し１０ｄ及び内水返し５１が設けられていることから、この第四の水返し１０ｄと内水返し５１との間において横通気路８内の上下方向の流路が狭くなり、横通気路８ｂへ吹き込んだ気流が水返し１０ｄと内水返し５１の上方で開放されることにより、この第四の水返し１０ｄと内水返し５１の上方における内開口７側の圧力の上昇が抑制される。このため、内開口７まで水が達することが更に効果的に抑制される。第四の水返し１０ｄに水が付着した場合には、この水は水返し１０ｄの傾斜によって先端側へ誘導されて水切片１８から下方の内傾斜面１１へ落下し、更に内傾斜面１１に沿って移動して排出される。
【００５７】
このようにして通気路８内に浸入した水が内開口７まで達することが効果的に遮断されるため、壁下地４と外壁材２との間の湿気の上昇が抑制される。また通気路８内の水は外開口６から効率良く排出されるため、通気路８内には水が残留しにくくなる。このため、通気路８内で蒸発した水分が内開口７を介して通気空間５に流入することが抑制され、壁下地４と外壁材２との間の湿気の上昇が更に抑制される。
【００５８】
また、通気見切材１と外壁材２との間や、通気見切材１と軒天井材３６との間からの通気空間５への水の浸入も、シーリング材３５によって防止される。
【００５９】
この通気見切材１は、軒側の外壁材２４、妻側の外壁材２４のいずれにも取り付けられる。図１１に示すように、通気見切材１が妻側の外壁材２に取り付けられる場合、通気見切材１は、妻側の壁下地４に対して縦胴縁４６を介して設置された妻側の外壁材２の上端部と、屋根３の妻側の天井材（妻側の軒天井材３６）との間に取り付けられる。妻側の外壁が複数の外壁材２４で構成される場合、複数の外壁材２４のうち、屋根３に沿って配置される外壁材２の、屋根３に沿って傾斜する端縁部分が、通気見切材１が取り付けられる上端部となる。
【００６０】
このように妻側の外壁材２に通気見切材１が取り付けられると通気見切材１は傾斜して配置されるが、通気見切材１には水が浸入しにくく、また水が浸入したとしてもこの水が排出されやすいため、通気見切材１に浸入した水が傾斜に沿って軒側に移動しながら屋内側に移動して内開口７まで到達したり、軒側に溜まった水が外開口６から一気に屋外に噴き出したりするようなことが防止される。
【符号の説明】
【００６１】
１    通気見切材
２    外壁材
３    屋根
４    壁下地
５    通気空間
６    外開口
７    内開口
８    通気路
９    外傾斜面
１０  水返し
１０ａ  第一の水返し
１１  内傾斜面
【図１】
2011106234.tif 000003
【図２】
2011106234.tif 000004
【図３】
2011106234.tif 000005
【図４】
2011106234.tif 000006
【図５】
2011106234.tif 000007
【図６】
2011106234.tif 000008
【図７】
2011106234.tif 000009
【図８】
2011106234.tif 000010
【図９】
2011106234.tif 000011
【図１０】
2011106234.tif 000012
【図１１】
2011106234.tif 000013
【図１２】
2011106234.tif 000014
【図１３】
2011106234.tif 000015